(57)【要約】【課題】本発明は、塔状構造物の解体方法に関し、コンクリート躯体を遠隔操作で解体すると共に、足場を建物周囲に構築したり、解体装置を吊り下げたりしないで、簡易な方法で施工できるようにすることが課題である。【解決手段】自走する装置本体２と、該装置本体に備えられ鉄筋３を切断する切断装置４と、前記装置本体に備えられコンクリート躯体５を破砕する破砕装置６と、前記装置本体に備えられ当該装置本体を解体対象の建物の頂部から落下しないように前記頂部の内外壁面に跨設させる跨設装置７とを少なくとも有して構成されてなる塔状構造物の解体装置１を、前記塔状構造物の頂部５ａに跨設させて載置し、該解体装置１の進行方向側にて前記切断装置で鉄筋３を切断し、前記進行方向と反対側にて前記破砕装置６でコンクリート躯体５を破砕して、当該塔状構造物をその頂部５ａから内外壁面に沿って周回し解体する塔状構造物の解体方法である。【選択図】図１
2006097306.tif 000002
【特許請求の範囲】
【請求項１】
自走する装置本体と、該装置本体に備えられ鉄筋を切断する切断装置と、前記装置本体に備えられコンクリート躯体を破砕する破砕装置と、前記装置本体に備えられ当該装置本体を解体対象の建物の頂部から落下しないように前記頂部の内外壁面に跨設させる跨設装置とを少なくとも有して構成されてなる塔状構造物の解体装置を、前記塔状構造物の頂部に跨設させて載置し、該解体装置の進行方向側にて前記切断装置で鉄筋を切断し、前記進行方向と反対側にて前記破砕装置でコンクリート躯体を破砕して、当該塔状構造物をその頂部から内外壁面に沿って周回し解体すること、
を特徴とする塔状構造物の解体方法。
【請求項２】
装置本体に、切断装置と破砕装置との作業内容を確認できる撮像装置と、この装置本体の移動および前記切断装置若しくは破砕装置の駆動を制御する制御装置と、該制御装置に接続されて遠隔操作を可能にする遠隔操作装置とが設けられ、地上からの遠隔操作にて解体工事を遂行させること、
を特徴とする請求項１に記載の塔状構造物の解体方法。
【請求項３】
自走する装置本体と、該装置本体に備えられ鉄筋を切断する切断装置と、前記装置本体に備えられコンクリート躯体を破砕する破砕装置と、前記装置本体に備えられ当該装置本体を解体対象の建物の頂部から落下しないように前記頂部の内外壁面に跨設させる跨設装置とを少なくとも有して構成されてなること、
を特徴とする塔状構造物の解体装置。
【発明の詳細な説明】
【技術分野】
【０００１】
本発明は、例えば、煙突などの塔状構造物を解体する解体装置とそれによる解体方法に関するものである。
【背景技術】
【０００２】
従来、例えば、煙突などの塔状構造物を安定的且つ安価に行うことを可能とする解体装置は、クライミング式タワークレーンのような揚重手段を設け、地上で解体用の装置を設置した架台を組み立て、該架台を揚重手段で揚重して、架台上に露出した塔状構造物を解体すると共に、前記架台を揚重手段によって下方に移動させることを繰り返すことで、前記塔状構造物を順次下方に解体していく方法が知られている（特許文献１参照）。
【０００３】
また、クローラークレーン等の揚重装置によって吊り下げられた状態で、煙突等の塔状構造物を破砕する破砕装置に、当該破砕装置に縦方向に回動自在に支持されて該破砕装置の直下の煙突内面を付勢手段により付勢されると共に走行可能なゴム車輪を備えたガイドアームが備えられ、これにより、前記破砕装置の荷振れを防止して、解体速度を向上させたものが知られている（特許文献２参照）。
【特許文献１】特開２００３−３０１６１５号公報
【特許文献２】特開２００３−３０１６１６号公報
【発明の開示】
【発明が解決しようとする課題】
【０００４】
しかし、従来の煙突解体方法とその解体装置では、塔状構造物にクレーンなどの揚重装置を使用して、解体装置を使用しているが、この塔状構造物が例えば１００ｍ程の非常に高いものになると、クレーンなどの揚重装置を使用することが不可能となる。また、このような塔状構造物に枠組足場を構築して、これに解体装置を揚重して塔状構造物を解体することは、工期的に長期化し、費用的にもコストが嵩むことになって現実的でなくなる。
【０００５】
そこで、前記塔状構造物に、簡易なマストを構築して、それに作業ステージを組立て、該作業ステージに解体装置を載置して前記マストの上方への迫り上げで、塔状構造物の頭部に運び、前記解体装置により塔状構造物を解体するようにして、上記課題を解決する本発明が提案されたものである。
【課題を解決するための手段】
【０００６】
本発明に係る塔状構造物の解体方法の上記課題を解決して目的を達成するための要旨は、自走する装置本体と、該装置本体に備えられ鉄筋を切断する切断装置と、前記装置本体に備えられコンクリート躯体を破砕する破砕装置と、前記装置本体に備えられ当該装置本体を解体対象の建物の頂部から落下しないように前記頂部の内外壁面に跨設させる跨設装置とを少なくとも有して構成されてなる塔状構造物の解体装置を、前記塔状構造物の頂部に跨設させて載置し、該解体装置の進行方向側にて前記切断装置で鉄筋を切断し、前記進行方向と反対側にて前記破砕装置でコンクリート躯体を破砕して、当該塔状構造物をその頂部から内外壁面に沿って周回し解体することである。
【０００７】
また、装置本体に、切断装置と破砕装置との作業内容を確認できる撮像装置と、この装置本体の移動および前記切断装置若しくは破砕装置の駆動を制御する制御装置と、該制御装置に接続されて遠隔操作を可能にする遠隔操作装置とが設けられ、地上からの遠隔操作にて解体工事を遂行させることを含むものである。
【０００８】
本発明に係る解体装置の要旨は、自走する装置本体と、該装置本体に備えられ鉄筋を切断する切断装置と、前記装置本体に備えられコンクリート躯体を破砕する破砕装置と、前記装置本体に備えられ当該装置本体を解体対象の建物の頂部から落下しないように前記頂部の内外壁面に跨設させる跨設装置とを少なくとも有して構成されてなることである。
【発明の効果】
【０００９】
本発明の塔状構造物の解体方法とその解体装置とによれば、解体対象の塔状構造物の頂部に跨って内外壁面に沿って周回し、自動的に解体工事を遂行できるようになり、従来のような解体装置をクレーンで吊りながら解体する必要もない。また、塔状構造物の周囲に足場を組み立てる必要もない。よって、非常に背の高い塔状構造物においては、クレーン等の揚重装置が使用できないので、本発明によって、容易に解体工事が可能となる。
また、前記解体装置に遠隔装置を備えることで、鉄筋の切断作業やコンクリートの破砕作業を画像で確認しながら、地上から遠隔操作が可能となり、高所作業の危険性が回避されるようになる。
【発明を実施するための最良の形態】
【００１０】
本発明に係る解体装置１は、図１に示すように、クローラ２ａを備えて自走する装置本体２と、該装置本体２に備えられ鉄筋３を切断する切断装置４と、前記装置本体２に備えられコンクリート躯体５をニブラー６ａで破砕する破砕装置６と、前記装置本体２に備えられ当該装置本体２を解体対象の塔状構造物の頂部５ａから落下しないように前記頂部５ａの内外壁面５ｂ，５ｃに跨設させる跨設装置７とを有して構成されてなる。
【００１１】
更に、地上から遠隔操作できるように、前記切断装置４と破砕装置６との作業内容を確認できるＣＣＤカメラ等の撮像装置８と、この装置本体２の移動および前記切断装置４若しくは破砕装置６の駆動を制御する制御装置９と、該制御装置９に接続されて遠隔操作を可能にする無線送受信装置等の遠隔操作装置１０とを設けている。
【００１２】
前記跨設装置７には、図２に示すように、頂部５ａの内外壁面５ｂ，５ｃに摺接自在にして当接させる半球状体７ａが設けられている。図では下部に設けているが、上部にも設けて、安定度を増すようにしても良い。
【００１３】
また、前記切断装置４は、鉄筋３の太さを考慮して、例えば、プラズマトーチからプラズマアークを発生させて対象物を切断するプラズマ切断装置を使用する。この場合、切断された鉄筋３が外側にに落下しないように、把持アームで掴んでおいて、切断後に、内側に落下させるようにする。
【００１４】
前記解体装置１により、例えば、約１００ｍと背の高い塔状構造物である筒状の煙突を解体する場合を説明する。まず、解体対象の煙突にマストをその下に継ぎ足して上に迫り上げ、そのマスト頂部に作業ステージを設けて、該作業ステージに作業ウインチやアーム等を載置する。煙突の頂部５ａ近傍に前記作業ステージが到達した後に、仮設ウインチをマスト間に設置する。
【００１５】
この仮設ウインチにより洗浄装置等を吊り下げて、内側の耐火レンガ体１１を洗浄する。更に、レンガ解体装置で耐火レンガ体１１を解体し、煙突の脚部において、バックホウ等で開けた開口部から、この耐火レンガ体１１のガラを撤去する。
【００１６】
その後に、煙突の脚部の前記開口部から、コンクリート用の解体装置１を煙突内部に入れて、前記仮設ウインチにより頂部５ａにこの解体装置１を引き上げる。
【００１７】
前記解体装置１を、図１に示すように、ノズルを解体した後の頂部５ａのコンクリート躯体５に跨設させる。この頂部５ａの周囲にガラ受け用の養生シートを設置する。最初は、地上の遠隔操作装置から制御装置９を介して破砕装置６を駆動させる。該破砕装置６により、撮像装置８からの映像を地上のモニター等で確認しながら、コンクリート躯体５を解体して、煙突内部に落とし込んでいく。
【００１８】
次ぎに、前記コンクリート躯体５の粉砕されたガラは、コンクリートの解体作業を休止している間に、前記脚部開口部から掻き出す。
【００１９】
そして、コンクリート躯体５が前記破砕装置６で粉砕されると、内部の鉄筋３が露出する。これを、撮像装置８からの画像を地上のモニターで確認しながら、例えば、鉄筋把持装置等で鉄筋３を掴み、その基部をプラズマ切断装置でなる切断装置４で切断する。切断された鉄筋３は、前記鉄筋把持装置で煙突内部に落とし込まれる。なお、煙突脚部の開口部には、危険防止用の蓋が設置されている。
【００２０】
そして、これらのガラも、前記脚部の開口から掻き出される。掻き出したガラは、煙突開口前に仮置きして、高圧洗浄機にて粉塵の除去を行い、水切りして搬出用の袋に詰めてストックヤードに運搬する。このように、解体装置１は、移動方向におけるコンクリート躯体５から露出した鉄筋３を切断して、後方のコンクリート躯体５を粉砕し、モニターで作業状態を確認しながら地上の遠隔操作で制御装置９を介して移動制御され、内外壁面５ｂ，５ｃに沿ってスパイラル状に周回して移動していく。
【００２１】
このように、煙突の解体作業とガラの掻き出し作業を交互に繰り返しながら、解体工事が進行して、地上から１０〜２０ｍ程度になったら、地上に配置されたクレーンで前記解体装置１を撤収する。その後は、クラッシャーなどの地上の解体用機器で解体工事を進行させる。
【図面の簡単な説明】
【００２２】
【図１】本発明に係る煙突解体方法に使用する解体装置１の使用状態を示す説明図である。
【図２】同本発明に係る解体装置１の使用状態における横断面図である。
【符号の説明】
【００２３】
１          塔状構造物の解体装置、
２          装置本体、                    ２ａ      クローラ、
３          鉄筋、
４          切断装置、  
５          コンクリート躯体、            ５ａ      頂部
５ｂ，５ｃ  壁面、
６          破砕装置、                    ６ａ      ニブラー、
７          跨設装置、                    ７ａ      半球状体、
８          撮像装置、
９          制御装置、
１０        遠隔操作装置、
１１        耐火レンガ体。
【図１】
2006097306.tif 000003
【図２】
2006097306.tif 000004